(57)【要約】 【課題】  リミットレス印刷を実行する際、給紙トレイに用紙を補給するタイミングを示し、用紙切れの可能性を最小限に抑える。【解決手段】  複数段の給紙トレイを備え、各給紙トレイにセットされた用紙のサイズ等の用紙情報を管理し、該用紙情報によって給紙トレイを選択し、選択した給紙トレイから給紙を行う制御手段を備えたプリンタにおいて、選択された給紙トレイの用紙が無くなった場合に順次切替る給紙トレイを表示部に表示する。【選択図】  図３
2005193486.tif 000002
【特許請求の範囲】
【請求項１】
複数段の給紙トレイを備え、各給紙トレイにセットされた用紙のサイズ等の用紙情報を管理し、該用紙情報によって給紙トレイを選択し、選択した前記給紙トレイから給紙を行う制御手段を備えた画像形成装置において、
前記制御手段は、前記選択された給紙トレイの用紙が無くなった場合に順次切替える給紙トレイを予め表示部に表示させることを特徴とする画像形成装置。
【請求項２】
前記制御手段は、前記順次切替る給紙トレイに対し、進行中の印刷に影響なく用紙補給が可能な給紙トレイを識別し、用紙補給が可能であることを前記表示部に表示させることを特徴とする請求項１記載の画像形成装置。
【請求項３】
前記制御手段は、操作部からの指示により、現在使用している前記給紙トレイを前記表示部に表示されている前記給紙トレイへ一時的に切替えることを特徴とする請求項１または２に記載の画像形成装置。
【請求項４】
印刷情報を記憶する外部記憶手段を更に備え、前記制御手段は現在選択されている前記給紙トレイを、外部記憶装置に設ける仮想トレイの仮想用紙に仮想印刷するため一時的に前記仮想トレイに切替えることを特徴とする請求項１ないし３のいずれか１項に記載の画像形成装置。
【請求項５】
前記制御手段は、切替った給紙トレイによっても全てが印刷できない場合は、自動的に前記外部記憶装置に仮想印刷し、仮想印刷された仮想用紙を仮想排紙トレイに排紙することを特徴とする請求項１ないし４のいずれか１項に記載の画像形成装置。
【請求項６】
前記制御手段は、前記給紙トレイが切替ったとき、直前の給紙トレイを用いて印刷した枚数を前記表示部の該当給紙トレイの表示に添字表示させることを特徴とする請求項２ないし５のいずれか１項に記載の画像形成装置。
【請求項７】
前記制御手段は、前記仮想印字された仮想用紙の枚数を前記表示部に表示させることを特徴とする請求項４または５記載の画像形成装置。
【請求項８】
請求項１ないし７のいずれか１項に記載の画像形成装置と、印刷ジョブのコマンドを送信するホスト装置とから構成されることを特徴とする画像形成システム。
【請求項９】
データ処理を開始した後、リミットレス印刷かどうかを判定する第１の手順と、
前記判定でリミットレス印刷であったとき、印刷開始時の給紙トレイサイズと同サイズのトレイがあるかどうかを判定する第２の手順と、
同サイズのトレイがあったとき、印刷開始時の給紙トレイから切り換え、切り替え予定順に表示部に表示する第３の手順と、
を含んでいることを特徴とするコンピュータプログラム。
【請求項１０】
前記第３の手順を実行した後、現給紙トレイ以外の切り替え対象トレイは用紙補給可能である旨表示する第４の手順をさらに含んでいることを特徴とする請求項９記載のコンピュータプログラム。
【請求項１１】
前記第４の手順を実行した後、現給紙トレイを一時切替えるか否かを判定する第６の手順をさらに含んでいることを特徴とする請求項１０記載のコンピュータプログラム。
【請求項１２】
請求項１１記載のコンピュータプログラムがコンピュータによって読み取られ、実行可能に記録されていることを特徴とする記録媒体。
【発明の詳細な説明】
【技術分野】
【０００１】
本発明は、印刷ジョブ中に使用している給紙トレイに用紙が無くなった場合、同サイズの用紙がセットされた別の給紙トレイから給紙する画像形成装置、その画像形成装置を備えた画像形成システム、前記給紙を実行させるためのコンピュータプログラム及びこのコンピュータプログラムを記録した記録媒体に関する。
【背景技術】
【０００２】
画像形成装置としてのプリンタにおいて、ホストコンピュータ等からの印刷データとともに送られてくる印刷ジョブのジョブ情報に指定された用紙サイズや用紙種類に従い、印刷実行時に指定の用紙を用いて印刷するものが提供されている。一方、プリンタも、コピーやファクシミリの機能も備えた複合機或いは高速プリンタでは、多段の給紙トレイを備え、同一サイズの用紙を複数の給紙トレイにセットして、大量の印刷に対応できるようにしたものも提供されている。また、印刷出力すべきデータ量に基づいて必要とする用紙の量を計数して、給紙トレイにセットされている用紙の枚数が不足している場合は不足をユーザに知らせるようにしたプリンタも提供されている。
【０００３】
一方、多段の給紙トレイを備えたプリンタにおいては、用紙が不足した場合に同一サイズの用紙がセットされた別の給紙トレイに自動的に切替るようにした「用紙無し自動給紙トレイ切替（リミットレス給紙）」が、例えば特許文献１および２に開示され、これにより、用紙切れによって印刷を中断するようなことのない「リミットレス印刷』が可能になった。また、特許文献３には、給紙トレイの一時的な変更や復帰を通して、本来使用したい給紙トレイへの用紙の補給を印刷ジョブの停止無しに行えるようにすることが開示されている。
【特許文献１】特開平９−８１３４４号公報
【特許文献２】特開２００１−１９９５７７号公報
【特許文献３】特開２０００−１６８９７７号公報
【発明の開示】
【発明が解決しようとする課題】
【０００４】
しかしながら、従来の多段給紙トレイを備えたプリンタにおいては、現使用の給紙トレイの用紙が無くなった場合、自動的に同一用紙サイズの給紙トレイに切替るため、切替る給紙トレイに用紙が十分にセットされているかが判明せず、新しい給紙トレイに切替えても、直ぐに用紙切れを起こす可能性がある。
【０００５】
本発明はこのような従来技術の実情に鑑みてなされたもので、その目的は、リミットレス印刷を実行する際、、給紙トレイに用紙を補給するタイミングを示し、用紙切れの可能性を最小限に抑えることにある。
【課題を解決するための手段】
【０００６】
前記目的を達成するため、第１の手段は、複数段の給紙トレイを備え、各給紙トレイにセットされた用紙のサイズ等の用紙情報を管理し、該用紙情報によって給紙トレイを選択し、選択した前記給紙トレイから給紙を行う制御手段を備えたプリンタにおいて、前記制御手段は、前記選択された給紙トレイの用紙が無くなった場合に順次切替る給紙トレイを予め表示部に表示させることを特徴としている。
【０００７】
第２の手段は、第１の手段において、前記制御手段が、前記順次切替るトレイに対し、進行中の印刷に影響なく用紙補給が可能な給紙トレイを識別し、用紙補給が可能であることを前記表示部に表示させることを特徴としている。
【０００８】
第３の手段は、第１または第２の手段において前記制御手段が、操作部からの指示により、現在使用している前記給紙トレイを前記表示部表示されている前記給紙トレイへ一時的に切替えることを特徴としている。
【０００９】
第４の手段は、第１ないし第３の手段において、印刷情報を記憶する外部記憶手段を更に備え、前記制御手段は現在選択されている前記給紙トレイを、外部記憶装置に設ける仮想トレイで仮想印刷するため一時的に前記仮想トレイに切替えることを特徴としている。
【００１０】
第５の手段は、第１ないし第４の手段において、前記制御手段が、切替った給紙トレイによっても全てが印刷できない場合は、自動的に前記外部記憶装置に設ける前記仮想トレイの仮想用紙に仮想印刷し、仮想排紙トレイに排紙することを特徴としている。
【００１１】
第６の手段は、第２ないし第５の手段において、前記制御手段が、前記給紙トレイが切替ったとき、直前の給紙トレイを用いて印刷した枚数を前記表示部の該当給紙トレイの表示に添字表示させることを特徴としている。
【００１２】
第７の手段は、第４または第５の手段において、前記制御手段が、前記仮想印字された用紙の枚数を前記表示部に表示することを特徴としている。
【００１３】
第８の手段に係る画像形成システムは、第１ないし第７の手段の画像形成装置と、印刷ジョブのコマンドを送信するホスト装置とから構成されることを特徴としている。
【００１４】
第９の手段に係るコンピュータプログラムは、データ処理を開始した後、リミットレス印刷かどうかを判定する第１の手順と、前記判定でリミットレス印刷であったとき、印刷開始時の給紙トレイサイズと同サイズのトレイがあるかどうかを判定する第２の手順と、同サイズのトレイがあったとき、印刷開始時の給紙トレイから切り換え、切り替え予定順に表示部に表示する第３の手順とを含んでいることを特徴とする。
【００１５】
第１０の手段は、第９の手段において、前記第３の手順を実行した後、現給紙トレイ以外の切り替え対象トレイは用紙補給可能である旨表示する第４の手順をさらに含んでいることを特徴とする。
【００１６】
第１１の手段は、第１０の手段において、前記第４の手順を実行した後、現給紙トレイを一時切替えるか否かを判定する第６の手順をさらに含んでいることを特徴とする。
【００１７】
第１２の手段は、第１１の手段に係るコンピュータプログラムがコンピュータによって読み取られ、実行可能に記録媒体に記録されていることを特徴とする。
【発明の効果】
【００１８】
以上のように本発明によれば、現在の給紙トレイが用紙無しになったときには順次切替わる給紙トレイを予めパネルに表示し、これにより該当するトレイに用紙を補給するタイミングが分かり、用紙供給を的確に行うことが可能となる。その結果、リミットレス印刷を実行する場合、用紙切れの可能性を最小限に抑えることができる。
【発明を実施するための最良の形態】
【００１９】
以下、本発明を実施するための最良の形態について図面を参照して説明する。
【実施例１】
【００２０】
図１は本実施例におけるプリンタ（画像形成）システムの機能ブロック図、図２は本実施例におけるプリンタが所有する給紙トレイを説明するための図、図３は本プリンタシステムの動作を説明するフローチャート、図４は操作パネルの表示部を示す図である。
【００２１】
このプリンタシステムは、図１に示すように、基本的にホストコンピュータ等のホストマシン１と、このホストマシン１からの印刷データを受け取り印刷するプリンタ２とから構成される。ホストマシン１には印刷条件の設定や印刷データ等を記憶するハードディスク装置（以下、ＨＤＤと称する）３が接続されている。
【００２２】
プリンタ２は、その時設定されている制御モードおよびホストマシン１からの制御コードに従ってホストマシン１からの印字データをビデオデータに変換して印刷するための制御機構であるコントローラ４と、プリンタ２のステータス表示、モード、印刷条件等を変更するためのスイッチ部や後述のような表示を行う表示部などを備えた操作パネル５と、用紙不足の際に印刷できなかった印字データをそのページデータ等とともに記憶する仮想給紙トレイや仮想排紙トレイの役をする外部記憶装置であるＨＤＤ６と、コントローラ４からのビデオ信号と制御情報に基づいて像担持体である感光体上に静電作像し、複数の給紙カセットで構成された給紙部より用紙を給紙して画像を形成するプリンタエンジン７と、メイン電源８とから構成されている。なお、プリンタエンジン７は従来より周知のものが使用されるので、その詳細な構造の図示及び説明は省略する。
【００２３】
コントローラ４は、コントローラ４はその時設定されている制御モードおよびホストマシン１からの制御コードに従ってホストマシン１からの印字データをビデオデータに変換してプリンタエンジンへ出力する制御機構の総称で、ＣＰＵ１１、ＲＡＭ１２、ＮＶ−ＲＡＭ１３、プログラムＲＯＭ１４、フォントＲＯＭ１５、ホストインターフェイス（以下、インターフェイスをＩ／Ｆと称する）１６、パネルＩ／Ｆ１７、エンジンＩ／Ｆ１８、ディスクＩ／Ｆ１９、ネットワークＩ／Ｆ２０を少なくともその要素として含むモジュールによって構成されている。
【００２４】
ＣＰＵ１１は、本コントローラ４の全体の制御を司る汎用ＣＰＵで構成し得る制御プロセッサで、プログラムＲＯＭ１４のプログラム内容に従ってデータ処理をするとともに、蓄積データやデータフローの管理、蓄積ジョブの管理等も行う。ＲＡＭ１２はＣＰＵ１１のワーク領域、ホストマシン１からのデータ受信バッファ、また処理後のイメージ展開領域に使用される。ＮＶ−ＲＡＭ１３は電源のＯＮ／ＯＦＦに関わらずデータを保持できる不揮発性メモリである。プログラムＲＯＭ１４はプログラムを保持しているメモリであり、フォントＲＯＭ１５は印字の時に使用される数種の書体を保持しているメモリである。
【００２５】
ホストＩ／Ｆ１６はホストマシン１とプリンタ２との間でデータの授受を行うためのものであり、パネルＩ／Ｆ１７は操作パネル５への表示やキー操作の受付処理を行う。エンジンＩ／Ｆ１８はコントローラ４とプリンタエンジン７への制御信号とエンジン７からコントローラ４へのステータス信号を送受信したり、コントローラ４で展開した画像データを実際にプリンタエンジン７で印刷出力するためのＩ／Ｆである。ディスクＩ／Ｆ１９はＨＤＤ６との間で印刷データの授受を行うためのものであり、ネットワークＩ／Ｆ２０はＬＡＮもしくはインターネット接続のためのＩ／Ｆである。
【００２６】
この第１実施例におけるプリンタ２には、図２に示すように、第１ないし第４給紙トレイ２１〜２４が設けられている。第１ないし第３給紙トレイ２１、２２、２３にはＡ４の用紙がセットされ、第４給紙トレイ２４にはＢ５の用紙がセットされているものとする。第１ないし第３給紙トレイ２１、２２、２３は優先順位も第１、第２そして第３給紙トレイであるとする。また、各給紙トレイ２１〜２４には、従来の給紙トレイと同様に、セットされた用紙のサイズを検知するサイズ検知素子および用紙の有無を検知する用紙検知素子が設けられ、各給紙トレイ２１〜２４にセットされている用紙のサイズや用紙の有無の情報をＣＰＵ１１に送り出すようになっている。
【００２７】
上述のような構成において、操作パネル５上のフローリミットレス印刷を設定するボタン（図示しない）を操作して、フローリミットレス印刷を設定すると、図３のフローチャートに示すように、ＣＰＵ１１はホストマシン１からの印字データを受け取り、印刷のためのデータ処理を開始する（ステップＳ１０１）。次いで、リミットレス印刷か否かをチェックし（ステップＳ１０２）、リミットレス印刷の場合は、印刷開始と同サイズ用紙のトレイが存在するか否かをチェックする（ステップＳ１０３）。ここでは用紙サイズはＡ４とすると、Ａ４サイズの給紙トレイは第１ないし第３給紙トレイ２１〜２３であり、給紙トレイが存在することになるので、給紙を開始する給紙トレイ２１そして、切り替え対象給紙トレイが第２及び第３給紙トレイ２２、２３となることを操作パネル５の表示部に表示し（ステップＳ１０４）、終了する。なお、ステップＳ１０２においてリミットレス印刷でない場合、ステップＳ１０３において同サイズの給紙トレイがない場合も終了となる。
【００２８】
したがって、操作パネル５の表示部５１には、図４に示すように、「リミットレス印刷中」と表示し、切替え対象給紙トレイを給紙を開始する給紙トレイは赤で示し、次順の給紙トレイは青で示すことを表示するとともに、給紙開始字に使用する第１給紙トレイ２１を表す「トレイ１」を赤線で、第１トレイ２１の用紙が終わったときは、第２給紙トレイ２２そして第３給紙トレイ２３の用紙が給紙されることを表すため、「トレイ２」、「トレイ３」が青線で表示される。このようにして、印刷中に切替え対象の給紙トレイの存在を表示することができ、且つ切替る給紙トレイをパネル表示するので、大量一括印刷など複数のトレイに用紙を補給したい場合などに印刷情報として有効である。
【実施例２】
【００２９】
図５は本プリンタシステムの第２実施例の動作を説明するフローチャート、図６は第２実施例の動作時における表示パネルを示す図である。第２実施例の構成は上述した第１実施例と同様であり、その制御処理のみが図５に示すように異なり、表示部５１の表示も図６に示すように異なるものである。
【００３０】
すなわち、本実施例は、上述した実施例において、切替えによって順次使用される給紙トレイに対して用紙補給の可否を表示部５１に表示するようにしたものである。この実施例においては、ＣＰＵ１１はホストマシン１からの印字データを受け取り、印刷のためのデータ処理を開始し（ステップＳ２０１）、リミットレス印刷か否かをチェックする（ステップＳ２０２）。リミットレス印刷の場合は、印刷開始と同サイズ用紙のトレイが存在するか否かをチェックし（ステップＳ２０３）、同サイズの給紙トレイは存在する場合は、給紙を開始する給紙トレイ２１そして、切り替え対象給紙トレイが第２及び第３給紙トレイ２２、２３となることを操作パネル５の表示部５１に表示し（ステップＳ２０４）、表示部５１の表示において現給紙トレイ２１以外の切替え対象給紙トレイ２２、２３は用紙の補給が可能であることを識別表示し（ステップＳ２０５）、終了する。なお、ステップＳ２０２においてリミットレス印刷でない場合、ステップＳ２０３において同サイズの給紙トレイがない場合も終了となる。これにより、パネル表示した給紙トレイの中で、今後切替わる予定でかつ現在は給紙中ではない給紙トレイをユーザに容易に識別させることができ、誤って給紙中のトレイを空けて無用なジャムを未然に防止することができ、同時に今後切替わる前に用紙の補給を安全に行うタイミングを提供することができる。
【００３１】
その他、特に説明しない各部は前述の第１実施例と同等に構成され、同等に機能する。
【実施例３】
【００３２】
図７は本プリンタシステムの第３実施例の動作を説明するフローチャートである。この第３実施例においても、その構成は上述した第１実施例と同様であり、その制御処理のみが図７に示すように異なるものである。第３実施例においては、一旦印刷がスタートした後でも現在選択されてる給紙トレイに対して用紙補給を行うことを可能にし、大量一括印刷システムのケースで印刷起動後に、プリンタを離れる間際に用紙を補給を行いたいその場で容易に（気軽に）パネル操作で給紙トレイの切替えを行えるようにしている。
【００３３】
すなわち、ＣＰＵ１１はホストマシン１からの印字データを受け取り、印刷のためのデータ処理を開始し（ステップＳ３０１）、リミットレス印刷か否かをチェックし（ステップＳ３０２）、リミットレス印刷の場合は、印刷開始と同サイズ用紙のトレイが存在するか否かをチェックする（ステップＳ３０３）。同サイズの給紙トレイは存在する場合は、給紙を開始する給紙トレイ２１そして、切り替え対象給紙トレイが第２及び第３給紙トレイ２２、２３となることを操作パネル５の表示部５１に表示し（ステップＳ３０４）、表示部５１の表示において現給紙トレイ２１以外の切替え対象給紙トレイ２２、２３は用紙の補給が可能であることを識別表示する（ステップＳ３０５）。次に、現給紙トレイを一時切替えるか否かをチェックする（ステップＳ３０６）。現給紙トレイを一時切替える場合は、操作パネル５からの指示に従い、切替え対象の給紙トレイを指定し（ステップＳ３０７）、給紙トレイの切替えを実行し（ステップＳ３０８）、終了する。ステップＳ３０２においてリミットレス印刷でない場合、Ｓ３０３において同サイズの給紙トレイがない場合、Ｓ３０６において現給紙トレイを一時切替えない場合も終了となる。このように、実施例２では、どうしても現在給紙中のトレイに用紙補給したい一時的なケースを容易に可能とすることができる。
【００３４】
その他、特に説明しない各部は前述の第１実施例と同等に構成され、同等に機能する。
【実施例４】
【００３５】
図８は本プリンタシステムの第４実施例の動作を説明するフローチャートである。この第４実施例においても、その構成は上述した実施例と同様であり、その制御処理のみが図８に示すように異なるものである。第３実施例においては、トレイ切替えにおいても、現状の印刷処理は継続することを目的に、原則的に用紙なしにならない仮想的な給紙トレイを用意し、見掛け上は印刷中断をしないようにしている。
【００３６】
第３実施例と同様に、ＣＰＵ１１はホストマシン１からの印字データを受け取り、印刷のためのデータ処理を開始し（ステップＳ４０１）、リミットレス印刷か否かをチェックし（ステップＳ４０２）、リミットレス印刷の場合は、印刷開始と同サイズ用紙のトレイが存在するか否かをチェックする（ステップＳ４０３）。同サイズの給紙トレイは存在する場合は、給紙を開始する給紙トレイ２１そして、切り替え対象給紙トレイが第２及び第３給紙トレイ２２、２３となることを操作パネル５の表示部５１に表示し（ステップＳ４０４）、表示部５１の表示において現給紙トレイ２１以外の切替え対象給紙トレイ２２、２３は用紙の補給が可能であることを識別表示する（ステップＳ４０５）。次に、現給紙トレイを一時切替えるか否かをチェックする（ステップＳ４０６）。現給紙トレイを一時切替える場合は、仮想給紙トレイを選択するか否かをチェックし（ステップＳ４０７）、仮想給紙トレイを選択する場合は仮想排紙先への印刷を行う切替え対象トレイを指定する（ステップＳ４０８）。すなわち、仮想給紙トレイとしてＨＤＤ６の領域を指定するとともに、ＨＤＤ６のどの領域に排紙するかを設定する。
【００３７】
ステップＳ４０６において現給紙トレイを一時切替えない場合は、リミットレス印刷の対象給紙トレイの全ての用紙が印刷データを印刷できる枚数あるか否かをチェックし（ステップＳ４０９）、用紙が足りない場合はステップＳ４０８に進み仮想給紙トレイであるＨＤＤ６に一時記憶させ、足りる場合は給紙トレイの制御を終了する。ステップＳ４０７において、仮想給紙トレイを選択しない場合は、リミットレス印刷の対象給紙トレイへ切替える（ステップＳ４１０）。
【００３８】
このようにして、リミットレス給紙を対象トレイすべてに切替えて印刷しても、印刷ページが多く「用紙なし」になるような場合でも、ホストマシン１の開放のために仮想トレイに切替えて、ページ作成処理を継続させているので、大量一括印刷においては搭載用紙枚数を超える印刷の場合でも、ホストマシン１側の開放を早めることができる。
【００３９】
その他、特に説明しない各部は前述の第１実施例と同等に構成され、同等に機能する。
【実施例５】
【００４０】
図９は本プリンタシステムの第５実施例の動作を説明するフローチャートである。この第５実施例は、リミットレス印刷中のユーザへ提供する情報として、また大量一括印刷における印刷情報として給紙トレイが切替わった際に、直前の給紙トレイでの印刷枚数をパネル表示することで、印刷経過情報を提供するようにしている。すなわち、リミットレス印刷中は、各給紙トレイから印刷した枚数を操作パネル５の表示部５１に表示するようにしている。この動作は、ステップＳ１０２，Ｓ２０２，Ｓ３０２において、リミットレス印刷か否かをチェックした後に行われる。ここでは図３のステップＳ１０２を例にとって説明する。リミットレス印刷か否かをチェックし（ステップＳ１０２）、リミットレス印刷の場合は印刷開始ともに印刷枚数をＣＰＵ１１はカウントする（ステップＳ５０１）。現給紙トレイの用紙が無くなったか否かを次にチェックし（ステップＳ５０２）、用紙がなくなった場合は、切替え予定順の給紙トレイにしたがって給紙トレイを切替え（ステップＳ５０３）、表示部５１に表示されている直前に使用した給紙トレイの表示部分に、添字で「印刷枚数」を表示する。これにより、パネル表示したリミットレス給紙トレイから、実際に印刷した枚数を表示することで、大量一括印刷などに対して印刷経過情報として提供することができる。
【００４１】
その他、特に説明しない各部は前述の第１実施例と同等に構成され、同等に機能する。
【実施例６】
【００４２】
図１０は本プリンタシステムの第６実施例の動作を説明するフローチャートである。第４実施例における仮想の給紙トレイや排紙トレイで行った印刷は、プリンタ２が保持していることになり、印刷には何枚用紙が必要であるかが判明しない。そこでこの第６実施例では、第４実施例に、仮想給紙トレイや仮想排紙トレイにある印刷データに必要な用紙の枚数を表示する手順を加えている。すなわち、図８のステップＳ４０９において、リミットレス印刷の対象給紙トレイの全ての用紙が印刷データを印刷できる枚数あるか否かをチェックする際に、対象給紙トレイの総枚数が印刷枚数より小さい場合には、仮想給紙トレイへ切替え（ステップＳ６０１）、次いで仮想排紙トレイへの印刷開始とともにそのページ数（仮想印字する仮想用紙のページ数）をＣＰＵ１１はカウントし（ステップＳ６０２）、全ての印刷が終了したか否かをチェックする（ステップＳ６０３）。全ての印刷が終了した場合はこの手順を終了とし、印刷が終了していない場合は再びステップＳ６０２に戻す。これにより、印刷終了枚数の情報をＣＰＵ１１は得ることができ、印刷終了言う枚数を表示部５１に表示することができる。実施例３における仮想的な印刷ページに対して、印刷終了までの必要な用紙枚数を明示することができ、用紙の補給する目安を提供することができる。
【図面の簡単な説明】
【００４３】
【図１】本発明の第１実施例におけるプリンタシステムの機能ブロック図である。
【図２】第１実施例におけるプリンタが所有する給紙トレイを説明するための図である。
【図３】本プリンタシステムの動作を説明するフローチャートである。
【図４】操作パネルの表示部を示す図である。
【図５】本プリンタシステムの第２実施例の動作を説明するフローチャートである。
【図６】実施例１の動作時における表示パネルを示す図である。
【図７】本プリンタシステムの第３実施例の動作を説明するフローチャートである。
【図８】本プリンタシステムの第４実施例の動作を説明するフローチャートである。
【図９】本プリンタシステムの第５実施例の動作を説明するフローチャートである。
【図１０】本プリンタシステムの第６実施例の動作を説明するフローチャートである。
【符号の説明】
【００４４】
１  ホストマシン
２  プリンタ
４  コントローラ
５  操作パネル
６  ＨＤＤ
７  プリンタエンジン
１１  ＣＰＵ
１２  ＲＡＭ
１３  ＮＶ−ＲＡＭ
１４  プログラムＲＯＭ
１５  フォントＲＯＭ
５１  表示部
【図１】
2005193486.tif 000003
【図２】
2005193486.tif 000004
【図３】
2005193486.tif 000005
【図４】
2005193486.tif 000006
【図５】
2005193486.tif 000007
【図６】
2005193486.tif 000008
【図７】
2005193486.tif 000009
【図８】
2005193486.tif 000010
【図９】
2005193486.tif 000011
【図１０】
2005193486.tif 000012